(57)【要約】コンテンツを媒体に記録する装置は、媒体に埋め込まれた第１コードと、記録装置のメモリに埋め込まれた第２コードと、コンテンツに埋め込まれた第３コードとを読み込むよう構成されるプロセッサを有する。プロセッサは、これら３つのコードを比較し、３つのコードが同一であるとき、コンテンツの媒体への記録を許可する。これら３つのコードは、コンテンツの配信地域と、配信時刻と、配信地域の時間帯を表すものである。記録装置は、コンテンツに含まれるコンテンツコードがその他の２つのコードと一致しないとき、あるいはそれらの差が所定の値より大きいとき、記録を行わないようにする。
2005523547.tif 000002
【特許請求の範囲】
【請求項１】
媒体上のコンテンツを再生するための装置であって、
前記媒体に埋め込まれた第１コードまたは第１コード群を読み、前記装置に埋め込まれた第２コードまたは第２コード群を読み、前記コンテンツに埋め込まれた第３コードまたは第３コード群を読み、前記第１コード、前記第２コード及び前記第３コードを比較し、少なくとも前記第１コード、前記第２コード及び前記第３コードが実質的に同一であるとき、前記コンテンツの前記媒体への記録を許可するよう構成される少なくとも１つのプロセッサを有することを特徴とする装置。
【請求項２】
請求項１記載の装置であって、前記プロセッサは、前記第１コード群、前記第２コード群及び前記第３コード群に含まれる複数のコードの中に一致したコードが少なくとも存在するとき、前記コンテンツの前記媒体への記録を許可するよう構成されることを特徴とする装置。
【請求項３】
請求項１記載の装置であって、前記第１コードは前記媒体が前記コンテンツの記録に利用可能な地域を有し、前記第２コードは前記装置が前記コンテンツの記録に利用可能な地域を有し、前記第３コードは前記コンテンツの配信地域を示すことを特徴とする装置。
【請求項４】
請求項１記載の装置であって、前記第１コードはさらに前記媒体が利用可能な地域に関する第１時間帯または第１時間帯群を有し、前記第２コードはさらに前記装置が利用可能な地域に関する第２時間帯または第２時間帯群を有し、前記第３コードはさらに前記コンテンツの配信源の第３時間帯を有し、前記プロセッサはさらに、前記第１時間帯、前記第２時間帯及び前記第３時間帯が少なくとも実質的に同一であるとき、前記記録を許可するよう構成されることを特徴とする装置。
【請求項５】
請求項４記載の装置であって、前記プロセッサはさらに、前記第１時間帯群、前記第２時間帯群及び前記第３時間帯に含まれる複数の時間帯の中に一致する時間帯が少なくとも存在するとき、前記記録を許可するよう構成されることを特徴とする装置。
【請求項６】
請求項４記載の装置であって、前記第２時間帯は、前記装置のタイミングモジュールから取得されることを特徴とする装置。
【請求項７】
請求項１記載の装置であって、前記第２コードはさらに現在時刻を有し、前記第３コードはさらに前記コンテンツの配信時刻を有し、前記プロセッサはさらに、前記現在時刻と前記配信時刻との差が閾値より大きいとき、前記記録を行わないよう構成されることを特徴とする装置。
【請求項８】
請求項７記載の装置であって、前記現在時刻は、前記装置のタイミングモジュールから取得されることを特徴とする装置。
【請求項９】
請求項１記載の装置であって、前記プロセッサはさらに、前記コンテンツに含まれる配信時刻と前記装置のタイミングモジュールにより与えられる現在時刻との差が閾値より小さいとき、前記記録を許可するよう構成されることを特徴とする装置。
【請求項１０】
請求項１記載の装置であって、さらに、
前記媒体への記録のため前記媒体に埋め込まれた少なくとも１つの鍵を用いて符号化コンテンツを生成することにより前記コンテンツを符号化するよう構成されるエンコーダを有することを特徴とする装置。
【請求項１１】
記録装置によりコンテンツを媒体に記録する方法であって、
前記媒体に埋め込まれた第１コードまたは第１コード群を読むステップと、
前記記録装置に埋め込まれた第２コードまたは第２コード群を読むステップと、
前記コンテンツに埋め込まれた第３コードまたは第３コード群を読むステップと、
前記第１コード、前記第２コード及び前記第３コードを比較するステップと、
前記第１コード、前記第２コード及び前記第３コードが少なくとも実質的に同一であるとき、前記コンテンツの前記媒体への記録を許可するステップとを有することを特徴とする方法。
【請求項１２】
請求項１１記載の方法であって、前記許可するステップは、前記第１コード群、前記第２コード群及び前記第３コード群に含まれるコード群の中に一致するコードが少なくとも存在するとき、前記記録を許可することを特徴とする方法。
【請求項１３】
請求項１１記載の方法であって、前記第１コードは前記媒体が前記コンテンツの記録に利用可能な地域を有し、前記第２コードは前記装置が前記コンテンツの記録に利用可能な地域を有し、前記第３コードは前記コンテンツの配信地域を示すことを特徴とする方法。
【請求項１４】
請求項１１記載の方法であって、前記第１コードはさらに前記媒体が利用可能な地域に関する第１時間帯または第１時間帯群を有し、前記第２コードはさらに前記装置が利用可能な地域に関する第２時間帯または第２時間帯群を有し、前記第３コードはさらに前記コンテンツの配信源の第３時間帯を有し、前記許可するステップは、前記第１時間帯、前記第２時間帯及び前記第３時間帯が少なくとも実質的に同一であるとき、前記記録を許可することを特徴とする方法。
【請求項１５】
請求項１４記載の方法であって、前記許可するステップは、前記第１時間帯群、前記第２時間帯群及び前記第３時間帯に含まれる複数の時間帯の中に一致する時間帯が少なくとも存在するとき、前記記録を許可することを特徴とする方法。
【請求項１６】
請求項１１記載の方法であって、前記第２コードはさらに前記装置のタイミングモジュールから取得される現在時刻を有し、前記第３コードはさらに前記コンテンツの配信時刻を有し、前記方法はさらに、前記現在時刻と前記配信時刻との差が閾値より大きいとき、前記記録を行わないようにするステップを有することを特徴とする方法。
【請求項１７】
請求項１１記載の方法であって、さらに、
前記コンテンツに含まれる配信時刻と前記記録装置のタイミングモジュールにより与えられる現在時刻との差が閾値より小さいとき、前記記録を行わないようにするステップを有することを特徴とする方法。
【請求項１８】
請求項１１記載の方法であって、さらに、
前記第１コードまたは前記第１コード群を前記媒体に埋め込むステップと、
前記第２コードまたは前記第２コード群を前記記録装置に埋め込むステップと、
前記第３コードを前記コンテンツに埋め込むステップとを有することを特徴とする方法。
【請求項１９】
請求項１１記載の方法であって、さらに、
暗号化されたコンテンツを生成するため、前記媒体に埋め込まれた鍵を用いて前記コンテンツを暗号化するステップと、
前記記録が許可されるとき、前記暗号化されたコンテンツを前記媒体に記録するステップとを有することを特徴とする方法。
【請求項２０】
ユーザアクセス不可領域に埋め込まれた媒体コードを有する媒体であって、前記媒体コードが装置に埋め込まれた装置コードとコンテンツに埋め込まれたコンテンツコードと一致するとき、前記コンテンツの前記媒体への記録を許可する前記装置による前記コンテンツの前記媒体への記録のため構成されることを特徴とする媒体。
【請求項２１】
請求項２０記載の媒体であって、さらに、
前記媒体への記録のため符号化されたコンテンツを生成するために、前記コンテンツを暗号化するため前記装置により利用される少なくとも１つの鍵を有することを特徴とする媒体。
【請求項２２】
請求項２０記載の媒体であって、前記媒体コードは前記媒体が前記コンテンツの記録に利用可能な地域を有し、前記装置コードは前記記録装置が前記コンテンツの記録に利用可能な地域を有することを特徴とする媒体。
【請求項２３】
請求項２０記載の媒体であって、前記媒体コードはさらに前記媒体が利用可能な地域に関する第１時間帯または第１時間帯群を有し、前記装置コードはさらに前記装置が利用可能な地域に関する第２時間帯または第２時間帯群を有し、前記コンテンツコードはさらに前記コンテンツの配信源の第３時間帯を有し、前記装置は、前記第１時間帯、前記第２時間帯及び前記第３時間帯が少なくとも実質的に同一であるとき、前記記録を許可するよう構成されることを特徴とする媒体。
【請求項２４】
請求項２３記載の媒体であって、前記装置はさらに、前記第１時間帯群、前記第２時間帯群及び前記第３時間帯に含まれる複数の時間帯の中に一致する時間帯が少なくとも存在するとき、前記記録を許可するよう構成されることを特徴とする媒体。
【請求項２５】
搬送波により実現される信号であって、
装置により媒体に記録するためのコンテンツと、
前記信号の信号源を示すコンテンツコードとを有し、前記信号は、前記コンテンツコードが前記媒体に埋め込まれた媒体コードと前記装置に埋め込まれた装置コードと実質的に同一であるとき、前記装置により記録されることが許可されることを特徴とする信号。
【請求項２６】
請求項２５記載の信号であって、前記コンテンツコードは前記コンテンツの配信源の第１時間帯を有し、前記媒体が利用可能な地域に関する前記媒体に含まれる第２時間帯と前記装置が利用可能な地域に関する前記媒体に含まれる第３時間帯とが実質的に前記第１時間帯と同一であるとき、前記信号は前記装置により記録されることが許可されることを特徴とする信号。
【請求項２７】
少なくとも１つの記録された記述子を有する記録コンテンツの再生のための装置であって、
前記記録された記述子を読み、前記装置に埋め込まれた装置記述子を読み、前記記録された記述子と前記装置記述子を比較し、前記記録された記述子と前記装置記述子が少なくとも実質的に同一であるとき、前記記録コンテンツの再生を許可するよう構成されるプロセッサを有することを特徴とする装置。
【発明の詳細な説明】
【発明の詳細な説明】
【０００１】
本発明は、地域に基づく媒体へのコンテンツの記録の許可に関する。より詳細には、同一のリージョンコード（ｒｅｇｉｏｎ  ｃｏｄｅ）がソースコンテンツ、記録可能な媒体及び記録装置に検出される場合に、暗号化後、ソースコンテンツを記録可能な媒体に記録することを許可する。
【背景技術】
【０００２】
従来のＤＶＤ（Ｄｉｇｉｔａｌ  Ｖｉｄｅｏ  Ｄｉｓｋ）記録技術では、放送コンテンツなどのコンテンツの複製が可能である。放送コンテンツの放送時間と異なる時間に当該コンテンツの視聴が可能となるように、時間シフトのため記録装置のユーザが放送コンテンツの複製を行うことができることが望ましい。参照することによりその内容の全体がここに含まれる米国特許第６，３１０，９５６号では、データストリームに埋め込まれた送信時刻情報とデータレコーダの現在時刻と比較することにより、時間シフトのための記録を許可するシステムが開示されている。送信時刻と現在時刻との時間差が閾値未満である場合に記録が許可される。
【発明の開示】
【発明が解決しようとする課題】
【０００３】
さらに、ユーザによるコンテンツの複製及び当該コンテンツの広範な配信を許可することは望ましくない。典型的には、放送局は、コンテンツをある地域ではある時刻に放送し、他の地域ではより遅い時刻に放送する。例えば、放送局は、米国国内では特定の日にコンテンツを放送し、例えば、ヨーロッパではそれ以降の日時での放送のためというように、海外での放送のため同一のコンテンツを再販するかもしれない。同様のことは、東部時間帯と太平洋時間帯などの米国の異なる時間帯においても望まれるかもしれない。ＤＶＤなどの媒体により配信あるいは公開されようと、まずある地域で配信あるいは公開されたデータストリームを複製及び/または再送し、他の地域での配信あるいは販売前に複製したコンテンツをこれら他の地域で販売することをユーザに可能とすることは、例えば、視聴者の減少や、宣伝あるいはＤＶＤの認可された複製の販売からの収入の減少により、放送局に損害を与える。例えば、ＤＶＤなどの媒体に記録されたデータ、テレビ、ラジオあるいは衛星放送からのデータ、ウェブページなどのインテーネットからのデータ、ウェブ配信からのデータ、地上あるいは衛星にかかわらずＤＶＢ（Ｄｉｇｉｔａｌ  Ｖｉｄｅｏ  Ｂｒｏａｄｃａｓｔｓ）からのデータなどの任意のコンテンツの多数の複製を作成し、インターネットなどの任意の手段を介して当該コンテンツを販売することが可能であることは、そのような悪影響を及ぼす利用である。
【０００４】
従って、コンテンツの未許可の複製、複製されたコンテンツの他の地域での販売及び再生を防ぐことが望ましい。例えば、米国では公開済みであるが、ヨーロッパではまだ公開されていないＤＶＤ、テレビ番組、映画あるいは他のコンテンツがあるかもしれない。この例では、米国で公開されたコンテンツの認可されていない複製をヨーロッパで販売することを防ぐことが望ましい。
【０００５】
従って、コンテンツの複製、販売及び再送を回避する必要性がある。本発明は、認可されていない複製の回避などの望ましくないタスクを防ぐと共に、インターネットなどを介したコンテンツの認可されていない複製の販売及び送信を回避しながら、消費者により所望される実質的にすべてのタスクを実行することができる便利なプロテクトされたシステムを提供する。
【０００６】
本発明によると、コンテンツを媒体に記録する装置は、３つのコード、すなわち、媒体に埋め込まれた第１コードと、装置に埋め込まれた第２コードと、コンテンツに埋め込まれた第３コードとを読み込むよう構成されるプロセッサを有する。プロセッサは、これら３つのコードを比較し、３つのコードのすべてが一致するとき、記録、複製、再生などのコンテンツの媒体への再生を許可する。例示的には、第１コードにはコンテンツの記録のため媒体が利用可能な領域が含まれ、第２コードにはコンテンツの記録のため媒体が利用可能な領域が含まれ、第３コードはコンテンツの配信源あるいは配信地域を示す。
【０００７】
３つのコードはさらに時間帯を含んでもよい。例えば、第１コードはさらに、媒体が利用可能な地域に関する第１時間帯を有し、第２コードはさらに、例えば、記録のため記録装置が利用可能な地域に関する第２時間帯を有し、第３コードはさらに、コンテンツの配信源の第３時間帯を有するものであってもよい。この場合、プロセッサは、これら３つの時間帯が実質的に同一であるとき、記録を許可するよう構成される。
【０００８】
さらに、またはそれに代わって、第２コードはさらに、例えば、再生装置のタイミングモジュールから取得される現在時刻を有し、第３コードはさらに、コンテンツの配信時刻を有するようにしてもよい。この場合、プロセッサは、例えば、現在時刻と配信時刻との差が所定の閾値より大きいとき、再生を行わないよう構成されてもよい。
【０００９】
さらなる安全性向上のため、装置は、媒体への記録のため符号化されたコンテンツを生成するために、媒体に埋め込まれた少なくとも１つの鍵を用いてコンテンツを符号化するよう構成されるエンコーダを有するようにしてもよい。
【００１０】
本発明のさらなる特徴及び効果は、本発明の好適な実施例を特定及び例示する添付された図面を参照することにより与えられる以下の詳細な説明を考慮することにより容易に明らかとなるであろう。
【発明を実施するための最良の形態】
【００１１】
本発明とそれに伴う効果は、添付された図面と共に本発明の好適な実施例の以下の詳細な説明を参照することにより最も良く理解されるであろう。
【００１２】
コンテンツの再生、記録及び/または複製などの再現が、媒体、ドライブ及びコンテンツ上に同一または実質的に同一のリージョンコードを有するなどのある基準を満たした後にのみ許可される媒体への記録装置及び方法が説明される。リージョンコードは、ラジオ、テレビ、インターネットなどの任意のソースからなおデータストリームとしてのコンテンツに埋め込まれているかもしれないし、あるいはテープ、ＣＤ（Ｃｏｍｐａｃｔ  Ｄｉｓｋ）、ＤＶＤ、固体メモリあるいは他の任意の既知のメモリ装置などの任意の記憶装置、若しくはそれらの組み合わせにより提供されるかもしれない。コンテンツは、衛星または任意の長短レンジ無線送信システム、光ファイバを含むケーブルなどの有線を含む任意の手段、あるいは空気などの媒体により配信されてもよい。
【００１３】
以下の説明では、本発明の完全な理解を提供するため、特定タイプの記録媒体やコンテンツなどの多数の具体的詳細が与えられる。しかしながら、本発明は、これら具体的詳細なしで実現可能であるということは当業者には明らかであろう。他の実施例では、本発明を不必要に不明瞭にしないため、周知のシステムについての詳細な説明は与えない。
【００１４】
ここで説明される例示的な実施例は、本発明がＤＶＤ＋Ｐと呼ばれる特別な記録可能なＤＶＤへの番組や映画などのテレビ信号を有するコンテンツの記録に適用した場合の実施例である。しかしながら、記録は固体メモリなどの任意の媒体になされてもよく、またコンテンツはインターネット、テレビ信号あるいは無線信号を介し配信される音声あるいは映像ストリーム内の任意の手段あるいは媒体により配信される任意のソースからの任意のタイプのデータあるいは信号であってもよいということは当業者には理解されるであろう。
【００１５】
図１に示される一実施例では、コンテンツの記録あるいは再生のための再生装置１０が与えられている。再生装置１０は、例えば、光学式のＤＶＤあるいはＣＤレコーダなど任意のタイプのものであってよい。例示的には、記録装置１０は、その内容の全体が参照することによりここに含まれる米国特許出願公報ＵＳ２００１/０，０３６，２６８（‘２６８公報）に開示されるような当該技術分野において周知の光学式ＤＶＤレコーダ/再生装置である。簡単化のため、テレビ、ラジオあるいはインターネットからコンテンツを受信するためのチューナーや受信機、ＤＶＤを回転させるためのスピンドルモータ及びＤＶＤの記録及び読み出しを行うための光学系などの本発明に直接は関係ないＤＶＤレコーダの詳細はここでは含まれないが、’２６８公報に開示されるシステムなどの当該分野では周知である。
【００１６】
ＤＶＤレコーダ１０は、例えば、製造時に、米国やヨーロッパなどの地域に関する少なくとも１つのリージョンコードが記憶されるメモリ１２を備える。あるいは、またはそれに加えて、リージョンコードは、米国の太平洋、中部、山岳部あるいは東部時間帯などの時間帯であってもよい。
【００１７】
記録可能なＤＶＤドライブ１０は、ＤＶＤプロテクトのため、ＤＶＤ＋Ｐと呼ばれる記録可能なＤＶＤなどの特別な媒体１４に記録するよう構成される。ＤＶＤ＋Ｐは、例えば、それの製造時に記録されるディスクのユーザアクセス不可部分に埋め込まれた少なくとも１つのリージョンコード１６を有する。このため、ユーザは、このディスク部分でのリージョンコードの変更、書き込みあるいは追加を行うことができない。記録可能なＤＶＤ＋Ｐ１４に埋め込まれたリージョンコードは、ディスク１４が使用される地域を示す。埋め込まれたリージョンコードを有するＤＶＤは、その内容の全体が参照することによりここに含まれる米国特許出願公報ＵＳ２００２/０，００６，０９４（‘０９４公報）に開示されているような当該分野において周知なものである。さらに、このメディア（例えば、ＤＶＤ＋Ｐなど）用の記録可能なＤＶＤドライブ１０などの記録可能な装置は、’０９４公報に開示されるＤＶＤレコーダと同様に説明されるようなＤＶＤ＋Ｐ１４に含まれるリージョンコードを比較するよう構成される。
【００１８】
ＤＶＤ＋Ｐの使用は例示的なものであり、リージョンコードが埋め込まれた任意の記録可能な媒体の利用が可能であるということは理解されるべきである。同様に、任意のレコーダが利用可能であり、ここで例示的に利用されるＤＶＤ記録可能ドライブに限定されない。
【００１９】
記録可能ＤＶＤドライブやＤＶＤレコーダ１０は、テレビ、衛星放送、ラジオあるいはインターネット配信などの任意のソースと共に、ＤＶＤ、ＣＤあるいはテープなどの他の媒体、及びその内容の全体が参照することによりここに含まれ、マルチメディアシステムのメモリに保持されるデータ構造によるリージョン情報と共にレーティングシステムを表すことを開示する国際公報ＷＯ０１/４９０３０として公開される米国特許出願第０９/４７１，７５０号に開示されるような各種信号などの任意のソースであってよいコンテンツソース２０からコンテンツ１８を受け取る。
【００２０】
本発明によると、少なくとも１つのリージョンコードがコンテンツ１８に埋め込まれる。例えば、コンテンツ１８が米国の放送テレビ信号である場合、放送コンテンツのソースを示す少なくとも１つのリージョンコードのような記述子がＡＴＳＣ（Ａｍｅｒｉｃａｎ  Ｔｅｌｅｖｉｓｉｏｎ  Ｓｔａｎｄａｒｄｓ  Ｃｏｍｍｉｔｔｅｅ）テレビ放送ストリームに追加される。この記述子は、例えば、高品位映像放送信号の既存あるいは新規パケットの任意の信号あるいはコンテンツ１８に追加されてもよい。そのような信号は、典型的には、すべての放送チャンネルに対する映像及び音声コンテンツを含むパケットを有するパケットベースのものであり、当該信号を閲覧可能な映像に復調（分割）する方法を記載するパケットである。そのような信号はまた、信号が配信された時刻と共に、コンテンツの利用において説明及び支援する番組案内情報などの埋め込まれた情報パケットを含む。
【００２１】
放送の中にすべに埋め込まれている情報パケットは、放送ソースの時間帯及び/または放送時刻などのリージョンコードや他の記述子を含むよう拡張されてもよい。あるいは、またはそれに加えて、映像配信に追加された新たなパケットに所望の記述子が含まれていてもよい。この情報は、コンテンツの複製、視聴あるいは再送が可能か決定するよう構成される受信機により利用可能である。
【００２２】
従って、例えば、ＡＴＳＣテレビ放送ストリームは、コンテンツ１８の配信の最初の地域、最初の配信の時間帯及び/または、例えば、最も近い時間に丸められた、コンテンツ１８の配信時刻を示す記述子を含むものであってもよい。実質的に同一の記述子が説明されるようなコンテンツ再生の比較及び許可のためドライブメモリ１２及びディスク１４に含まれる、ドライブ１０やディスク１４のような適切に構成されたドライブやディスクを利用して再生及び/または記録の許可及び/または回避での利用のため他の記述子がまた含まれてもよい。例示的には、これらの記述子は、デジタルテレビ放送データストリームに既に搬送される番組関連の記述子と同様のものとすることができ、従って、デジタルテレビ放送のサービスの質に影響を及ぼさない。
【００２３】
ＤＶＤレコーダ１０は、コンテンツ１８の記録前、ＤＶＤ＋Ｐを用いてコンテンツ１８の記録が可能な地域を示すＤＶＤ＋Ｐ光ディスク１４に記録されているリージョンコード１６と、ＤＶＤレコーダがコンテンツの記録を許可されている地域を示すＤＶＤレコーダ１０のメモリ１２に記録されているリージョンコードと、放送コンテンツ１８の最初の地域を示すコンテンツ１８に埋め込まれたリージョンコードを読み出し、比較するよう構成されるプロセッサ２２を備える。ＤＶＤドライブまたはレコーダ１０のプロセッサ２２は、ディスク１４、ドライブメモリ１２及びコンテンツ１８に埋め込まれたリージョンコードが一致する場合のみ、コンテンツ１８の記録を許可する。３つのリージョンコーダが一致しない場合、ドライブプロセッサ２２はディスク１４上へのコンテンツ１８の記録を行わない。複数のリージョンコードがコンテンツ及び/またはドライブに含まれ、及び/またはディスク上に存在する場合、これらのリージョンコードが実質的に同一とみなされ、一致が存在するため、１つのリージョンコードが３つすべての領域で同一となることが求められる。
【００２４】
このリージョンコードに加えて、あるいはそれに代えて、時間帯がコンテンツ１８、ディスク１４及びドライブメモリ１２に埋め込まれてもよく、この場合、ディスクプロセッサ２２は、３つすべての時間帯が実質的に同一でないときには、コンテンツ１８をディスク１４に記録しないように構成される。複数の時間帯がコンテンツ、ドライブ及び/または
ディスクに存在する場合には再び、時間帯が実質的に同一と考えられ、一致するために、３つすべての領域で１つの時間帯が同じになることが求められる。さらに、ドライブプロセッサ２２は、米国特許ＵＳ６，３１０，９５６に開示されるように、現在時刻とコンテンツ１８に埋め込まれている放送時刻との差が所定の値より大きいとき、コンテンツ１８をディスク１４に記録しないよう構成されてもよい。タイミングモジュール２４は、例えば、ユーザに最初に提供されたように、時間帯及び/または現在時刻をプロセッサ２２に提供するようにしてもよい。ユーザによる改ざんを防ぐため、現在時刻と時間帯は、定期的あるいはランダムに、例えば、ＧＰＳ（Ｇｌｏｂａｌ  Ｐｏｓｉｔｉｏｎｉｎｇ  Ｓａｔｅｌｌｉｔｅ）信号を介して日時情報を有する配信コンテンツあるいは他の信号から抽出することができる。
【００２５】
セキュリティ向上のため、コンテンツ１８の記録が許可されると判断されると、ＤＶＤレコーダ１０は、さらに、‘２６８公報に開示されるシステムと同様のレコーダ３２によりディスク１４に記録される暗号化されたコンテンツ３０を生成するため、ＤＶＤ＋Ｐディスク１４上に、例えば、製造時など予め記録された少なくとも１つの暗号鍵２８を用いてコンテンツ１８を暗号化する暗号化装置２６をユーザアクセス不可領域に備えてもよい。
【００２６】
ＤＶＤ＋Ｐ１４などのブランクな記録可能媒体のユーザアクセス不可領域に暗号鍵２８を埋め込むことにより、さらなる安全性が提供される。そのようなユーザアクセス不可領域は、‘２６８公報に開示されるように、予めパッケージ化された記録不可なＤＶＤに含まれるＣＳＳ（Ｃｏｎｔｅｎｔ  Ｓｃｒａｍｂｌｅ  Ｓｙｓｔｅｍ）暗号化された著作権が保護されたデータを復号するための復号鍵を保持するのにすでに利用されている。
【００２７】
ハードウェアあるいはソフトウェア装置である信頼されるソース装置が、例えば、記録装置、ディスク１４及びコンテンツ１８のリージョンコードが一致するときに記録を許可する配信コンテンツ１８を提供している場合、ＤＶＤ記録可能ドライブ１０は、ＤＶＤ＋Ｐ記録可能ディスク１４から鍵２８を自動的に読み出し、この読み出された鍵を用いて配信コンテンツを暗号化し、暗号化されたコンテンツ３０を記録可能ＤＶＤ＋Ｐディスク１４に記録する。セキュリティ向上のため、ドライブ１０において、そこから決して外には出ない鍵により暗号化を実行することができる。ＤＶＤ＋Ｐ上に記録された暗号化されたコンテンツを再生するとき、逆に、ＤＶＤ＋Ｐに埋め込まれた暗号鍵２８を用いて暗号化されたコンテンツをドライブが復号する。
【００２８】
３つの（ドライブ、ディスク及びコンテンツ）リージョンコードを比較することにより、ＡＴＳＣデジタルテレビ放送のようなコンテンツの記録許可を決定し、記録が許可されると、ブランクディスクに予めインストールされている暗号鍵を用いてコンテンツを暗号化し、この暗号化されたコンテンツを記録することにより、記録可能なＤＶＤドライブにストリーム処理される暗号化されたコンテンツの安全性確保などの、安全な認可された記録を行うためのシステム及び方法が提供される。本発明は、時間シフトなどの正当な目的に対しては配信コンテンツをユーザが記録することを許可するが、この記録されたコンテンツの許可されていない複製やインターネット上での配信を防ぐことができる。例えば、記録されたコンテンツを有するＤＶＤ＋Ｐが複製されようとする場合、新たなＤＶＤ＋Ｐへの複製は、コンテンツと、新たなＤＶＤＤ＋ＰとＤＶＤレコーダの３つの記述子が実質的に同一である場合に限って許可される。複製に関する制限と同様の制限が、記録されたＤＶＤ＋Ｐディスクの視聴や再生に関して課されてもよく、この場合、コンテンツを表す記録されたＤＶＤ＋Ｐディスクの記述子とＤＶＤレコーダ/プレーヤーの記述子とが一致しなければ、記録されたＤＶＤ＋Ｐを視聴することはできない。
【００２９】
最後に、上記説明は、本発明を単に例示することを意図したものであり、添付されたクレームを任意の特定の実施例や実施例群に限定するものとして解釈されるべきでない。例えば、プロセッサ２２は、本発明に従って実行する専用プロセッサであってもよいし、あるいは多数の機能の１つのみが本発明に従って実行する汎用プロセッサであってもよい。プロセッサは、プログラムの一部や複数のプログラムセグメントを用いて動作するものであってもよいし、あるいは専用または多用途集積回路を用いたハードウェア装置であってもよい。コンテンツ再生の許可に利用される上記システムは、さらに他のシステムと共に利用されてもよい。このため、本発明は特定の実施例を参照して特に詳細に説明されたが、以下のクレームに与えられるような本発明のより広範な意図された趣旨及び範囲から逸脱することなく、多くの修正及び変更が可能であるということは理解されるべきである。本明細書及び図面は、例示的なものとしてみなされるべきであり、添付されたクレームの範囲を限定することを意図したものではない。
【００３０】
添付されたクレームの解釈において、「有する（ｃｏｍｐｒｉｓｉｎｇ）」という用語は、与えられたクレームに列挙された以外の要素や工程の存在を排除するものでなく、要素に前置される「ある」という用語は、そのような要素が複数存在することを排除するものでなく、クレームにおける任意の参照記号はクレームの範囲を限定するものでなく、いくつかの「手段」は同一のアイテム、ハードウェアあるいはソフトウェアにより実現される構成または機能により表され、開示された各要素はハードウェア部分（例えば、離散的電子回路）、ソフトウェア部分（例えば、コンピュータプログラミング）あるいはそれらの任意の組み合わせから構成されてもよい。
【図面の簡単な説明】
【００３１】
【図１】図１は、本発明によるレコーダを示す。
【図１】
2005523547.tif 000003
【国際調査報告】
2005523547.tif 000004
2005523547.tif 000005
2005523547.tif 000006